(57)【要約】  ビデオストリーミングクライアント１０５は、エンティティの登録を要求するMIH_USER_Register.requestをMIHF１０３及びMIHF２０３に送信する。MIHF１０３及びMIHF２０３は、ビデオストリーミングクライアント１０５から受信したMIH_USER_Register.requestに基づいて、エンティティを識別するMIH_USER_IDとビデオストリーミングクライアント１０５とを対応付けて登録し、登録したMIH_USER_IDを含むMIH_USER_Register.responseをビデオストリーミングクライアント１０５に通知する。
2010110393.tif 000002
【特許請求の範囲】
【請求項１】
第１無線通信ネットワークから前記第１無線通信ネットワークと無線通信方式が異なる第２無線通信ネットワークへのハンドオーバを実行する無線通信システムであって、
前記第１無線通信ネットワークまたは前記第２無線通信ネットワークと無線リンクを設定するリンク制御部と、
少なくとも前記第１無線通信ネットワークまたは前記第２無線通信ネットワークを利用する複数のエンティティと、
何れかの前記エンティティからの要求に基づいて前記第１無線通信ネットワークから前記第２無線通信ネットワークへのハンドオーバを制御するハンドオーバ制御部とを備え、
前記エンティティは、前記エンティティの登録を要求する登録要求を前記ハンドオーバ制御部に送信し、
前記ハンドオーバ制御部は、
前記エンティティから受信した前記登録要求に基づいて、前記エンティティを識別するエンティティ識別子と前記登録要求を送信した前記エンティティとを対応付けて登録する無線通信システム。
【請求項２】
前記ハンドオーバ制御部は、登録した前記エンティティ識別子を、前記登録要求を送信した前記エンティティに通知し、
前記エンティティは、前記ハンドオーバ制御部から通知された前記エンティティ識別子を含むコマンドを前記ハンドオーバ制御部に送信する請求項１に記載の無線通信システム。
【請求項３】
前記エンティティは、
前記第１無線通信ネットワークから前記第２無線通信ネットワークへの前記無線通信システムの移動性を管理する移動性管理部、或いは少なくとも前記第１無線通信ネットワークまたは前記第２無線通信ネットワークを介して通信を実行する通信アプリケーションである請求項１または２に記載の無線通信システム。
【請求項４】
前記移動性管理部は、IEEE802.21において規定されるＭＩＨユーザであり、
前記ハンドオーバ制御部は、前記IEEE802.21において規定されるＭＩＨ機能部である請求項３に記載の無線通信システム。
【請求項５】
前記ハンドオーバ制御部は、
前記エンティティが前記通信アプリケーションであるか否かを区別して前記エンティティ識別子を登録し、
前記リンク制御部から通知される前記無線リンクの通信品質に基づいて、前記エンティティにおいて用いられるサービス品質の未来における予測値を演算するとともに、演算した前記予測値を前記エンティティに通知する請求項３に記載の無線通信システム。
【請求項６】
第１無線通信ネットワークから前記第１無線通信ネットワークと無線通信方式が異なる第２無線通信ネットワークへのハンドオーバを実行する無線通信端末であって、
前記第１無線通信ネットワークまたは前記第２無線通信ネットワークと無線リンクを設定するリンク制御部と、
少なくとも前記第１無線通信ネットワークまたは前記第２無線通信ネットワークを利用する複数のエンティティと、
何れかの前記エンティティからの要求に基づいて前記第１無線通信ネットワークから前記第２無線通信ネットワークへのハンドオーバを制御するハンドオーバ制御部とを備え、
前記エンティティは、前記エンティティの登録を要求する登録要求を前記ハンドオーバ制御部に送信し、
前記ハンドオーバ制御部は、
前記エンティティから受信した前記登録要求に基づいて、前記エンティティを識別するエンティティ識別子と前記登録要求を送信した前記エンティティとを対応付けて登録する無線通信端末。
【請求項７】
前記ハンドオーバ制御部は、登録した前記エンティティ識別子を、前記登録要求を送信した前記エンティティに通知し、
前記エンティティは、前記ハンドオーバ制御部から通知された前記エンティティ識別子を含むコマンドを前記ハンドオーバ制御部に送信する請求項６に記載の無線通信端末。
【請求項８】
前記エンティティは、
前記第１無線通信ネットワークから前記第２無線通信ネットワークへの前記無線通信システムの移動性を管理する移動性管理部、或いは少なくとも前記第１無線通信ネットワークまたは前記第２無線通信ネットワークを介して通信を実行する通信アプリケーションである請求項６または７に記載の無線通信端末。
【請求項９】
前記移動性管理部は、IEEE802.21において規定されるＭＩＨユーザであり、
前記ハンドオーバ制御部は、前記IEEE802.21において規定されるＭＩＨ機能部である請求項８に記載の無線通信端末。
【請求項１０】
前記ハンドオーバ制御部は、
前記エンティティが前記通信アプリケーションであるか否かを区別して前記エンティティ識別子を登録し、
前記リンク制御部から通知される前記無線リンクの通信品質に基づいて、前記エンティティにおいて用いられるサービス品質の未来における予測値を演算するとともに、演算した前記予測値を前記エンティティに通知する請求項８に記載の無線通信端末。
【請求項１１】
第１無線通信ネットワークから前記第１無線通信ネットワークと無線通信方式が異なる第２無線通信ネットワークへのハンドオーバを実行する通信制御方法であって、
前記第１無線通信ネットワークまたは前記第２無線通信ネットワークと無線リンクを設定するステップと、
少なくとも前記第１無線通信ネットワークまたは前記第２無線通信ネットワークを利用する複数のエンティティのうち、何れかの前記エンティティからの要求に基づいて前記第１無線通信ネットワークから前記第２無線通信ネットワークへのハンドオーバを制御するステップとを備え、
前記ハンドオーバを制御するステップは、
前記エンティティが前記エンティティの登録を要求する登録要求を前記ハンドオーバ制御部に送信するステップと、
前記エンティティから受信した前記登録要求に基づいて、前記エンティティを識別するエンティティ識別子と前記登録要求を送信した前記エンティティとを対応付けて登録し、登録した前記エンティティ識別子を、前記登録要求を送信した前記エンティティに通知するステップとを含む通信制御方法。
【発明の詳細な説明】
【技術分野】
【０００１】
本発明は、第１無線通信ネットワークから第１無線通信ネットワークと無線通信方式が異なる第２無線通信ネットワークへのハンドオーバを実行する無線通信システム、無線通信端末及び通信制御方法に関する。
【背景技術】
【０００２】
近年、無線通信技術の進歩に伴って、無線通信方式が異なる複数の無線通信ネットワークに接続可能な移動通信端末（Mobile Node）、或いはモバイルルータと、モバイルルータに接続し、移動ネットワークに参加している移動通信端末（Mobile Network Node）とによる無線通信システムが実現されている。【０００３】
このような無線通信システムは、複数の無線通信ネットワーク間における移動性を管理するＭＩＨユーザ（Media Independent Handover User、移動性管理部）と、各無線通信ネットワークと無線リンクをそれぞれ設定する複数のリンク制御部とを有する。【０００４】
このような複数の無線通信ネットワークに接続可能な無線通信システムにおいて、ＭＩＨユーザと複数のリンク制御部との間に、無線通信ネットワーク間におけるハンドオーバ、いわゆるシステム間ハンドオーバを制御するＭＩＨ機能部（Media Independent Handover Function、ハンドオーバ制御部）を設けることが提案されている（例えば、非特許文献１）。
【先行技術文献】
【非特許文献】
【０００５】
【非特許文献１】IEEE P802.21/D04.00 Draft IEEE Standard for Local and Metropolitan Area Networks: Media Independent Handover Services、LAN MAN Standards Committee of the IEEE Computer Society
【発明の概要】
【０００６】
上述した非特許文献１に記載されている方法では、一つのＭＩＨユーザと、一つのＭＩＨ機能部（ハンドオーバ制御部）とが通信を実行すること、具体的には、コマンド及びイベントを送受信することが前提とされている。しかしながら、現実的には、アプリケーション（例えば、ＩＰ電話）などのエンティティがそれぞれＭＩＨユーザとして機能する場合もあり、この場合には、一つのＭＩＨ機能部に対して複数のＭＩＨユーザが存在する状況が生じ得る。
【０００７】
このように一つのＭＩＨ機能部に対して複数のＭＩＨユーザが存在すると、ＭＩＨ機能部は、複数のＭＩＨユーザ（エンティティ）を識別できず、ＭＩＨユーザとＭＩＨ機能部との通信が不可能となる問題がある。
【０００８】
そこで、本発明は、このような状況に鑑みてなされたものであり、一つのＭＩＨ機能部などのハンドオーバ制御部に対して複数のＭＩＨユーザが存在する場合でも、ハンドオーバ制御部がそれぞれのＭＩＨユーザと明確かつ確実に通信を実行できる無線通信システム、無線通信端末及び通信制御方法を提供することを目的とする。
【０００９】
上述した問題を解決するため、本発明は、次のような特徴を有している。まず、本発明の第１の特徴は、第１無線通信ネットワーク（例えば、無線通信ネットワーク１０）から前記第１無線通信ネットワークと無線通信方式が異なる第２無線通信ネットワーク（例えば、無線通信ネットワーク２０）へのハンドオーバを実行する無線通信システム（無線通信システム５０）であって、前記第１無線通信ネットワークまたは前記第２無線通信ネットワークと無線リンク（無線リンクＲＬ）を設定するリンク制御部（リンク制御部２０５）と、少なくとも前記第１無線通信ネットワークまたは前記第２無線通信ネットワークを利用する複数のエンティティ（例えば、ビデオストリーミングクライアント１０５及びビデオフォン１０７）と、何れかの前記エンティティからの要求に基づいて前記第１無線通信ネットワークから前記第２無線通信ネットワークへのハンドオーバを制御するハンドオーバ制御部（MIH機能部１０３，MIH機能部２０３）とを備え、前記エンティティは、前記エンティティの登録を要求する登録要求（MIH_USER_Register.request）を前記ハンドオーバ制御部に送信し、前記ハンドオーバ制御部は、前記エンティティから受信した前記登録要求に基づいて、前記エンティティを識別するエンティティ識別子（MIH_USER_ID）と前記登録要求を送信した前記エンティティとを対応付けて登録し、登録した前記エンティティ識別子を、前記登録要求を送信した前記エンティティに通知（MIH_USER_Register.response）することを要旨とする。
【００１０】
このような無線通信システムによれば、ハンドオーバ制御部は、通信アプリケーションなど、特定のエンティティから登録要求を受信した場合、当該エンティティを識別するエンティティ識別子と当該エンティティとを対応付けて登録する。
【００１１】
このため、ハンドオーバ制御部は、通信アプリケーションなどのエンティティがＭＩＨユーザとして機能し、一つのハンドオーバ制御部に対して複数のＭＩＨユーザが存在する場合でも、それぞれのＭＩＨユーザを確実に識別でき、ハンドオーバ制御部がそれぞれのＭＩＨユーザと確実に通信を実行できる。
【００１２】
本発明の第２の特徴は、本発明の第１の特徴に係り、前記ハンドオーバ制御部は、登録した前記エンティティ識別子を、前記登録要求を送信した前記エンティティに通知し、前記エンティティは、前記ハンドオーバ制御部から通知された前記エンティティ識別子を含むコマンドを前記ハンドオーバ制御部に送信することを要旨とする。
【００１３】
本発明の第３の特徴は、本発明の第１または第２の特徴に係り、前記エンティティは、前記第１無線通信ネットワークから前記第２無線通信ネットワークへの前記無線通信システムの移動性を管理する移動性管理部（例えば、MIH User１０９Ａ）、或いは少なくとも前記第１無線通信ネットワークまたは前記第２無線通信ネットワークを介して通信を実行する通信アプリケーション（例えば、ビデオストリーミングクライアント１０５）であることを要旨とする。
【００１４】
本発明の第４の特徴は、本発明の第３の特徴に係り、前記移動性管理部は、IEEE802.21において規定されるＭＩＨユーザであり、前記ハンドオーバ制御部は、前記IEEE802.21において規定されるＭＩＨ機能部であることを要旨とする。
【００１５】
本発明の第５の特徴は、本発明の第３の特徴に係り、前記ハンドオーバ制御部は、前記エンティティが前記通信アプリケーションであるか否かを区別して前記エンティティ識別子を登録し、前記リンク制御部から通知される前記無線リンクの通信品質に基づいて、前記エンティティにおいて用いられるサービス品質の未来における予測値を演算するとともに、演算した前記予測値（MIH_Get_Service_Quality.response）を前記エンティティに通知することを要旨とする。
【００１６】
本発明の第６の特徴は、第１無線通信ネットワークから前記第１無線通信ネットワークと無線通信方式が異なる第２無線通信ネットワークへのハンドオーバを実行する無線通信端末であって、前記第１無線通信ネットワークまたは前記第２無線通信ネットワークと無線リンクを設定するリンク制御部と、少なくとも前記第１無線通信ネットワークまたは前記第２無線通信ネットワークを利用する複数のエンティティと、何れかの前記エンティティからの要求に基づいて前記第１無線通信ネットワークから前記第２無線通信ネットワークへのハンドオーバを制御するハンドオーバ制御部とを備え、前記エンティティは、前記エンティティの登録を要求する登録要求を前記ハンドオーバ制御部に送信し、前記ハンドオーバ制御部は、前記エンティティから受信した前記登録要求に基づいて、前記エンティティを識別するエンティティ識別子と前記登録要求を送信した前記エンティティとを対応付けて登録することを要旨とする。
【００１７】
本発明の第７の特徴は、本発明の第６の特徴に係り、前記ハンドオーバ制御部は、登録した前記エンティティ識別子を、前記登録要求を送信した前記エンティティに通知し、前記エンティティは、前記ハンドオーバ制御部から通知された前記エンティティ識別子を含むコマンドを前記ハンドオーバ制御部に送信することを要旨とする。
【００１８】
本発明の第８の特徴は、本発明の第６または第７の特徴に係り、前記エンティティは、前記第１無線通信ネットワークから前記第２無線通信ネットワークへの前記無線通信システムの移動性を管理する移動性管理部、或いは少なくとも前記第１無線通信ネットワークまたは前記第２無線通信ネットワークを介して通信を実行する通信アプリケーションであることを要旨とする。
【００１９】
本発明の第９の特徴は、本発明の第８の特徴に係り、前記移動性管理部は、IEEE802.21において規定されるＭＩＨユーザであり、前記ハンドオーバ制御部は、前記IEEE802.21において規定されるＭＩＨ機能部であることを要旨とする。
【００２０】
本発明の１０の特徴は、本発明の第８の特徴に係り、前記ハンドオーバ制御部は、前記エンティティが前記通信アプリケーションであるか否かを区別して前記エンティティ識別子を登録し、前記リンク制御部から通知される前記無線リンクの通信品質に基づいて、前記エンティティにおいて用いられるサービス品質の未来における予測値を演算するとともに、演算した前記予測値を前記エンティティに通知することを要旨とする。
【００２１】
本発明の第１１の特徴は、第１無線通信ネットワークから前記第１無線通信ネットワークと無線通信方式が異なる第２無線通信ネットワークへのハンドオーバを実行する通信制御方法であって、前記第１無線通信ネットワークまたは前記第２無線通信ネットワークと無線リンクを設定するステップと、少なくとも前記第１無線通信ネットワークまたは前記第２無線通信ネットワークを利用する複数のエンティティのうち、何れかの前記エンティティからの要求に基づいて前記第１無線通信ネットワークから前記第２無線通信ネットワークへのハンドオーバを制御するステップとを備え、前記ハンドオーバを制御するステップは、前記エンティティが前記エンティティの登録を要求する登録要求を前記ハンドオーバ制御部に送信するステップと、前記エンティティから受信した前記登録要求に基づいて、前記エンティティを識別するエンティティ識別子と前記登録要求を送信した前記エンティティとを対応付けて登録し、登録した前記エンティティ識別子を、前記登録要求を送信した前記エンティティに通知するステップとを含むことを要旨とする。
【００２２】
本発明の特徴によれば、一つのＭＩＨ機能部などのハンドオーバ制御部に対して複数の移動性管理部が存在する場合でも、ハンドオーバ制御部がそれぞれの移動性管理部と明確かつ確実に通信を実行できる無線通信システム、無線通信端末及び通信制御方法を提供することができる。
【図面の簡単な説明】
【００２３】
【図１】図１は、本発明の実施形態に係る通信ネットワークの全体概略構成図である。
【図２】図２は、本発明の実施形態に係る移動通信端末１００の機能ブロック図である。
【図３】図３は、本発明の実施形態に係るモバイルルータ２００の機能ブロック図である。
【図４】図４は、本発明の実施形態に係る無線通信システム５０によるエンティティ（通信アプリケーション）の登録動作例１を示す図である。
【図５】図５は、本発明の実施形態に係る無線通信システム５０によるエンティティ（通信アプリケーション）の登録動作例１を示す図である。
【図６】図６は、本発明の実施形態に係る無線通信システム５０によるエンティティ（通信アプリケーション）の登録動作例２を示す図である。
【図７】図７は、本発明の実施形態に係る無線通信システム５０によるエンティティ（通信アプリケーション）の登録動作例２を示す図である。
【図８】図８は、本発明の実施形態に係るMIH_USER_Register.requestのフォーマットを示す図である。
【図９】図９は、本発明の実施形態に係るMIH_Get_Service_Quality.requestのフォーマットを示す図である。
【図１０】図１０は、本発明の実施形態に係るMIH_USER_Register.responseのフォーマットを示す図である。
【図１１】図１１は、本発明の実施形態に係るMIH_Get_Service_Quality.responseのフォーマットを示す図である。
【図１２】図１２は、本発明の実施形態に係るMIH_Capability_Discover.requestのフォーマットを示す図である。
【図１３】図１３は、本発明の実施形態に係るMIH_Capability_Discover.confirmのフォーマットを示す図である。
【図１４】図１４は、本発明の変更例に係る移動通信端末１００Ａの機能ブロック図である。
【発明を実施するための形態】
【００２４】
次に、本発明の実施形態について説明する。具体的には、（１）通信ネットワークの全体概略構成、（２）無線通信システムの機能ブロック構成、（３）無線通信システムの動作、（４）作用・効果、及び（５）その他の実施形態について説明する。
【００２５】
なお、以下の図面の記載において、同一または類似の部分には、同一または類似の符号を付している。ただし、図面は模式的なものであり、各寸法の比率などは現実のものとは異なることに留意すべきである。
【００２６】
したがって、具体的な寸法などは以下の説明を参酌して判断すべきである。また、図面相互間においても互いの寸法の関係や比率が異なる部分が含まれている場合がある。
【００２７】
（１）通信ネットワークの全体概略構成
図１は、本実施形態に係る通信ネットワークの全体概略構成図である。本実施形態に係る通信ネットワークは、無線通信ネットワーク１０、無線通信ネットワーク２０及び無線通信ネットワーク３０によって構成される。無線通信ネットワーク１０は、CDMA2000 1xEV-DOに準拠する。本実施形態において、無線通信ネットワーク１０は、第１無線通信ネットワークを構成する。無線通信ネットワーク２０は、IEEE802.20において標準化されているMBWA（iBurst（登録商標））に準拠する。本実施形態において、無線通信ネットワーク２０は、第２無線通信ネットワークを構成する。無線通信ネットワーク３０は、IEEE802.16eにおいて標準化されているモバイルWiMAXに準拠する。つまり、無線通信ネットワーク１０〜３０は、採用する無線通信方式（メディア）がそれぞれ異なる。
【００２８】
無線通信ネットワーク１０〜３０には、ビデオストリーミングサーバ４０及びCN４５（Corresponding Node）が有線によって接続される。また、無線通信ネットワーク１０〜３０には、無線によってモバイルルータ２００が接続される。
【００２９】
モバイルルータ２００は、無線通信ネットワーク１０〜３０、及び移動通信端末１００と無線リンクＲＬをそれぞれ設定する。
【００３０】
ビデオストリーミングサーバ４０及びCN４５は、移動通信端末１００と所定の通信アプリケーションを実行する。ビデオストリーミングサーバ４０は、移動通信端末１００からの要求に基づいて、ビデオのストリーミングアプリケーションを実行し、ストリーミングデータを移動通信端末１００に配信する。CN４５及び移動通信端末１００は、VoIPなどを利用したＴＶ電話アプリケーションを実行し、CN４５と移動通信端末１００との間におけるＴＶ電話サービスを提供する。
【００３１】
移動通信端末１００及びモバイルルータ２００は、移動性を具備する。移動通信端末１００は、移動通信端末１００のユーザなどによって携帯される。モバイルルータ２００は、鉄道の車両内など、移動する空間に設置される。本実施形態では、移動通信端末１００とモバイルルータ２００とによって無線通信システム５０が構成される。
【００３２】
無線通信システム５０には、無線通信方式（メディア）が異なる無線通信ネットワーク１０〜３０間におけるシームレスなハンドオーバを実行するため、IEEE802.21において規定されるMedia Independent Handover Function（MIHF）が実装される。また、ビデオストリーミングサーバ４０もMIHFを実装できる。
【００３３】
（２）無線通信システムの機能ブロック構成
次に、無線通信システム５０を構成する移動通信端末１００及びモバイルルータ２００の機能ブロック構成について説明する。図２は、移動通信端末１００の機能ブロック図である。図３は、モバイルルータ２００の機能ブロック図である。
【００３４】
（２．１）移動通信端末１００
図２に示すように、移動通信端末１００は、有線／無線通信部１０１、MIH機能部１０３（以下、MIHF１０３）、ビデオストリーミングクライアント１０５及びビデオフォン１０７を備える。
【００３５】
有線／無線通信部１０１は、モバイルルータ２００の有線／無線通信部２０１と有線または無線通信を実行する。移動通信端末１００とモバイルルータ２００との間における無線通信方式としては、例えば、IEEE802.21において標準化されているWLANを用いることができる。
【００３６】
MIHF１０３は、何れかのエンティティ、具体的には、MIHF１０３よりも上位レイヤとして機能するビデオストリーミングクライアント１０５及びビデオフォン１０７からの要求に基づいて、無線通信ネットワーク間のハンドオーバを制御する。また、MIHF１０３は、モバイルルータ２００と無線通信ネットワーク１０〜３０との間の無線リンクＲＬの通信品質に応じたパラメータの適応制御を支援する。本実施形態において、MIHF１０３は、ハンドオーバ制御部を構成する。
【００３７】
MIHF１０３は、IEEE802.21において規定されるＭＩＨ機能部（MIHF）である。つまり、MIHF１０３は、無線通信方式が異なる無線通信ネットワーク間（異種メディア間）ハンドオーバに必要な複数の要素機能の集合である。また、MIHF１０３は、レイヤ３よりも上位のプロトコルスタックと、レイヤ１／レイヤ２のプロトコルとをクロスレイヤで有機的に結合させる。MIHF１０３は、ビデオストリーミングクライアント１０５やビデオフォン１０７などの通信アプリケーションと、本実施形態ではモバイルルータ２００に備えられるリンク制御部２０５（図３参照）との間において、通信アプリケーションから送信されたハンドオーバに関する各種コマンドをリンク制御部２０５に中継したり、リンク制御部２０５から送信されたイベントなどを通信アプリケーションに中継したりする。
【００３８】
ビデオストリーミングクライアント１０５及びビデオフォン１０７は、無線通信ネットワーク１０〜３０の何れかまたは複数の無線通信ネットワークを介して通信を実行する。つまり、ビデオストリーミングクライアント１０５及びビデオフォン１０７は、少なくとも無線通信ネットワーク１０〜３０の何れかを利用する。
【００３９】
ビデオストリーミングクライアント１０５は、ビデオストリーミングサーバ４０から配信されるビデオのストリーミングデータの受信処理を実行する。ビデオフォン１０７は、CN４５とVoIPなどを利用したＴＶ電話アプリケーションを実行し、音声通話サービスを提供する。
【００４０】
ビデオストリーミングクライアント１０５及びビデオフォン１０７（以下、通信アプリケーションと適宜省略する）は、当該通信アプリケーションの登録を要求する登録要求を含むコマンドをモバイルルータ２００のMIH機能部２０３（図３参照）に送信する。具体的には、通信アプリケーションは、MIH_USER_Register.requestをMIH機能部２０３に送信する。
【００４１】
図８は、MIH_USER_Register.requestのフォーマットを示す。また、表１及び表２は、MIH_USER_Register.requestに含まれる各パラメータの内容を示す。
【表１】
2010110393.tif 000003
【表２】
2010110393.tif 000004
【００４２】
本実施形態では、通信アプリケーションは、IEEE802.21において規定されるＭＩＨユーザに該当する。表１に示すように、MIH_USER_Register.requestには、送受信元の識別子（SourceIdentifier，DestinationIdentifier）及び登録要求コード（RequestCode）が含まれる。また、表２に示すように、登録要求コードの種類としては、非通信アプリケーション（値＝０）または通信アプリケーション（値＝１）が用いられる。
【００４３】
通信アプリケーションは、MIH_USER_Register.requestに対応するMIH_USER_Register.responseに含まれるMIH_USER_IDがMIHF１０３から通知された場合、以降、必要に応じて当該MIH_USER_IDを含むコマンドをMIHF１０３やMIHF２０３に送信する。
【００４４】
また、通信アプリケーションは、当該通信アプリケーションにおいて用いられるサービス品質の所定の周期（例えば、１００ｍｓ）での報告を要求するMIH_Get_Service_Quality.request（サービス品質取得要求）を、モバイルルータ２００のMIH機能部２０３に送信する。
【００４５】
図９は、MIH_Get_Service_Quality.requestのフォーマットを示す。また、表３及び表４は、MIH_Get_Service_Quality.requestに含まれる各パラメータの内容を示す。
【表３】
2010110393.tif 000005
【表４】
2010110393.tif 000006
【００４６】
表３に示すように、MIH_Get_Service_Quality.requestには、送受信元の識別子（SourceIdentifier，DestinationIdentifier）、要求サービス品質（Service_Quality1，Service_Quality2）、及び報告周期（Report_Period）が含まれる。また、表４に示すように、要求サービス品質の種類としては、予測利用可能帯域（上り方向及び下り方向）または予測遅延（上り方向及び下り方向）が用いられる。
【００４７】
（２．２）モバイルルータ２００
図３に示すように、モバイルルータ２００は、有線／無線通信部２０１、MIH機能部２０３（以下、MIHF２０３）、リンク制御部２０５、NEMOハンドオーバマネージャ２０７、無線通信部２０８〜２１０、及び無線ＩＦ２１１〜２１３を備える。
【００４８】
有線／無線通信部２０１は、移動通信端末１００の有線／無線通信部１０１と有線または無線通信を実行する。
【００４９】
MIHF２０３は、MIHF１０３と同様に、MIHF２０３よりも上位レイヤとして機能するビデオストリーミングクライアント１０５及びビデオフォン１０７からの要求に基づいて、無線通信ネットワーク間のハンドオーバを制御する。また、MIHF２０３は、モバイルルータ２００と無線通信ネットワーク１０〜３０との間の無線リンクＲＬの通信品質に応じたパラメータの適応制御を支援する。本実施形態において、MIHF２０３は、ハンドオーバ制御部を構成する。MIHF２０３は、IEEE802.21において規定されるＭＩＨ機能部（MIHF）である。
【００５０】
MIHF２０３は、ビデオストリーミングクライアント１０５或いはビデオフォン１０７から受信したMIH_USER_Register.requestに基づいて、ビデオストリーミングクライアント１０５またはビデオフォン１０７、つまり、エンティティを識別するMIH_USER_ID（エンティティ識別子）と、MIH_USER_Register.requestを送信したエンティティとを対応付けて登録する。MIHF２０３は、受信したMIH_USER_Register.requestに含まれる登録要求コード（RequestCode）に基づいて、当該エンティティが通信アプリケーションであるか否かを区別してMIH_USER_IDを登録することができる。
【００５１】
MIHF２０３は、登録したMIH_USER_IDを含むMIH_USER_Register.responseを、MIH_USER_Register.requestを送信したエンティティに通知する。具体的には、MIHF２０３は、MIH_USER_IDを含むイベントであるMIH_USER_Register.responseを、MIH_USER_Register.requestを送信したエンティティに通知する。
【００５２】
図１０は、MIH_USER_Register.responseのフォーマットを示す。また、表５は、MIH_USER_Register.responseに含まれる各パラメータの内容を示す。
【表５】
2010110393.tif 000007
【００５３】
表５に示すように、MIH_USER_Register.responseには、送受信元の識別子（SourceIdentifier，DestinationIdentifier）、運用状態（Status）及び登録有効期間（ValidTimeInterval）が含まれる。DestinationIdentifierには、MIH_USER_IDが含まれる。
【００５４】
また、MIHF２０３は、通信アプリケーションにおいて用いられるサービス品質（QoS）の所定の周期での報告を要求するサービス品質取得要求（MIH_Get_Service_Quality.request）を当該通信アプリケーションから取得する。MIHF２０３は、サービス品質取得要求を取得した場合、リンク制御部２０５から通知される無線リンクＲＬの通信品質に基づいて、所定の周期で未来におけるサービス品質の予測値を演算する。
【００５５】
具体的には、MIHF２０３は、無線リンクＲＬにおけるDRC（Data Rate Control）値を取得する。DRC値は、モバイルルータ２００が無線通信ネットワーク１０〜３０の何れかと設定された無線リンクＲＬにおける受信SINRに基づいて決定された送信伝送レート（変調方式）のクラスである。MIHF２０３は、取得したDRCと、実際の伝送レート（スループット）とを対応付けたテーブルを生成する。
【００５６】
次いで、MIHF２０３は、所定期間（T1）内に当該通信アプリケーションのデータ送信用に割り当てられたスロット数（割当スロット数）をカウントし、T1における総スロット数に対する割当スロット数に基づいて、スロット割当率を演算する。さらに、MIHF２０３は、過去の所定期間（T2）におけるスロット割当率の最大値（または平均値）を演算する。なお、例えば、T2＝5T1に設定されるなど、一般的にT2はT1より大きい。
【００５７】
MIHF２０３は、現在のDRCに対応付けられている伝送レートと、スロット割当率の最大値（または平均値）とを乗算する。MIHF２０３は、当該乗算結果をサービス品質の予測値（伝送レート）として用いる。
【００５８】
MIHF２０３は、演算した予測値をMIH_Get_Service_Quality.responseによって、サービス品質取得要求を送信した通信アプリケーションに通知する。
【００５９】
図１１は、MIH_Get_Service_Quality.responseのフォーマットを示す。また、表６及び表７は、MIH_Get_Service_Quality.responseに含まれる各パラメータの内容を示す。
【表６】
2010110393.tif 000008
【表７】
2010110393.tif 000009
【００６０】
表６に示すように、MIH_Get_Service_Quality.responseには、送受信元の識別子（SourceIdentifier，DestinationIdentifier）、予測サービス品質（Service_Quality1，Service_Quality2）、及び報告周期（Report_Period）が含まれる。また、表７に示すように、予測サービス品質の種類としては、予測利用可能帯域（上り方向及び下り方向）または予測遅延（上り方向及び下り方向）が用いられる。
【００６１】
図１２は、MIH_Capability_Discover.requestのフォーマットを示す。また、表８は、MIH_Capability_Discover.requestに含まれるパラメータの内容を示す。
【表８】
2010110393.tif 000010
【００６２】
表８に示すように、MIH_Capability_Discover.requestには、受信元の識別子（DestinationIdentifier）が含まれる。
【００６３】
図１３は、MIH_Capability_Discover.confirmのフォーマットを示す。また、表９は、MIH_Capability_Discover.confirmに含まれる各パラメータの内容を示す。
【表９】
2010110393.tif 000011
【００６４】
表９に示すように、MIH_Capability_Discover.confirmには、送信元の識別子（SourceIdentifier）、サポートされるMIHイベント及びコマンドなどのリスト（Supported MIH Event List, Supported MIH Command List, Supported IS Query Type List）、及びステータスが含まれる。
【００６５】
表１０は、MIHイベントの識別子を示す。
【表１０】
2010110393.tif 000012
【００６６】
本実施形態では、Supported MIH Command Listのビット７及び８を用いて、予測許容帯域または予測遅延（上り方向／下り方向）が通知される（表９参照）。また、MIHイベントのＩＤ９及び１０が予測許容帯域及び予測遅延に割り当てられる（表１０参照）。
【００６７】
リンク制御部２０５は、MIHF２０３からの指示に応じて無線通信部２０８〜２１０を制御し、無線通信ネットワーク１０〜３０の何れかと対応する無線ＩＦ２１１〜２１３を介して無線リンクＲＬを設定する。具体的には、リンク制御部２０５は、無線通信部２０８〜２１０とのインターフェース（デバイスドライバ）機能を有し、各無線通信ネットワークが採用する無線通信方式に対応した無線リンクＲＬを設定する。また、リンク制御部２０５は、各無線通信ネットワークに対して設定された無線リンクＲＬの通信品質などを示す情報を無線通信部２０８〜２１０から取得する。
【００６８】
NEMOハンドオーバマネージャ２０７は、モバイルルータ２００（及び移動通信端末１００）の移動性を管理する。具体的には、NEMOハンドオーバマネージャ２０７は、Network Mobility （NEMO） Basic Support Protocol（RFC3963）に従って、モバイルルータ２００のＩＰモビリティを確保するために必要な処理を実行する。
【００６９】
無線通信部２０８〜２１０は、無線通信ネットワーク１０〜３０のそれぞれに対応したモジュールを有し、リンク制御部２０５からの指示に基づいて無線通信ネットワーク１０〜３０のそれぞれと対応する無線ＩＦ２１１〜２１３を介して無線通信を実行する。
【００７０】
（３）無線通信システムの動作
次に、上述した無線通信システム５０（移動通信端末１００及びモバイルルータ２００）の動作について説明する。
【００７１】
（３．１）動作例１
図４及び図５は、無線通信システム５０によるエンティティ（通信アプリケーション）の登録動作例１を示す。
【００７２】
図４に示すように、ステップＳ１０において、MIHF１０３は、無線通信方式が異なる無線通信ネットワーク間（異種メディア間）ハンドオーバを実行可能な無線通信ネットワーク（無線リンクＲＬ）の有無を問い合わせるMIH_Capability_Discover.requestをMIHF２０３に送信する。MIHF２０３は、当該問い合わせに基づいて、異種メディア間ハンドオーバが実行可能な無線通信ネットワークを通知するMIH_Capability_Discover.confirmをMIHF１０３に送信する。
【００７３】
つまり、MIHF１０３は、MIH_Capability_Discover.requestをブロードキャストすることによって、相手のMIHF（ここでは、MIHF２０３）を発見する。そして、MIHF１０３は、相手のMIHFから通信ネットワークの種類やハンドオーバに関する情報、及び相手のMIHFのアドレスをレイヤ２データフレームから認識できる。また、MIHF１０３は、相手のMIHFがサービス品質予測通知機能を有していることを認識できる。
【００７４】
ステップＳ２０において、MIHF１０３は、MIHF２０３からの通知結果に基づいて、異種メディア間ハンドオーバ（MIH）の準備を実行する。具体的には、MIHF１０３は、Multiple Care of Address（MCoA）を用いた無瞬断ハンドオーバ（Make Before Break）、またはSingle Care of Address（SCoA）を用いたハンドオーバ（Make After BreakまたはMake Before Break）の準備を実行する。
【００７５】
ステップＳ３０において、MIHF１０３よりもよりも上位レイヤとして機能するビデオフォン１０７は、MIH_Capability_Discover.requestをMIHF１０３及びMIHF２０３に送信する。MIHF２０３は、MIHF１０３を介してMIH_Capability_Discover.confirmをビデオフォン１０７に送信する。
【００７６】
ステップＳ４０において、ビデオフォン１０７は、MIHF２０３からの通知結果に基づいて、異種メディア間ハンドオーバ（MIH）の準備を実行する。また、ビデオフォン１０７は、MIHF１０３及びMIHF２０３がサービス品質予測通知機能を有していることを認識する。
【００７７】
ステップＳ５０において、ビデオストリーミングクライアント１０５は、MIH_Capability_Discover.requestをMIHF１０３に送信する。MIHF１０３は、受信したMIH_Capability_Discover.requestをMIHF２０３に送信する。
【００７８】
MIHF２０３は、受信したMIH_Capability_Discover.requestに基づいて、MIH_Capability_Discover.confirmをMIHF１０３に送信し、MIHF１０３は、受信したMIH_Capability_Discover.confirmをビデオストリーミングクライアント１０５に送信する。
【００７９】
ステップＳ６０において、ビデオストリーミングクライアント１０５は、MIHF２０３からの通知結果に基づいて、異種メディア間ハンドオーバ（MIH）の準備を実行する。また、ビデオストリーミングクライアント１０５は、MIHF１０３及びMIHF２０３がサービス品質予測通知機能を有していることを認識する。
【００８０】
ステップＳ７０において、MIHF１０３は、MIHの登録を要求するMIH_Register.requestをMIHF２０３に送信する。MIHF２０３は、受信したMIH_Register.requestに基づいて、MIHF１０３を登録したことを示すMIH_Register.responseをビデオストリーミングクライアント１０５に送信する。なお、MIH_Register.request及びMIH_Register.responseは、IEEE802.21において規定されたものではなく、新たに定義されたものである。
【００８１】
ステップＳ８０において、ビデオフォン１０７は、ビデオフォン１０７のMIHF２０３への登録を要求するMIH_USER_Register.requestを、MIHF１０３を介してMIHF２０３に送信する。MIHF２０３は、受信したMIH_USER_Register.requestに基づいて、ビデオフォン１０７を識別するMIH_USER_IDと、MIH_USER_Register.requestを送信したビデオフォン１０７とを対応付けて登録する。MIHF２０３は、MIH_USER_IDを含むMIH_USER_Register.responseを、MIH_USER_Register.requestを送信したビデオフォン１０７に通知する。
【００８２】
ステップＳ９０において、ビデオストリーミングクライアント１０５は、ビデオストリーミングクライアント１０５のMIHF２０３への登録を要求するMIH_USER_Register.requestを、MIHF１０３を介してMIHF２０３に送信する。MIHF２０３は、受信したMIH_USER_Register.requestに基づいて、ビデオストリーミングクライアント１０５を識別するMIH_USER_IDと、MIH_USER_Register.requestを送信したビデオストリーミングクライアント１０５とを対応付けて登録する。MIHF２０３は、MIH_USER_IDを含むMIH_USER_Register.responseを、MIH_USER_Register.requestを送信したビデオストリーミングクライアント１０５に通知する。
【００８３】
次に、図５に示すように、ステップＳ１００において、ビデオストリーミングクライアント１０５は、ビデオストリーミングクライアント１０５において用いられるサービス品質の閾値（MIH_Link_Configure_Threshold.request）をMIHF１０３に通知する。また、ステップＳ１１０において、NEMOハンドオーバマネージャ２０７は、モバイルルータ２００におけるサービス品質の閾値（MIH_Link_Configure_Threshold.request）をMIHF２０３に通知する。さらに、ステップＳ１２０において、ビデオフォン１０７は、ビデオフォン１０７において用いられるサービス品質の閾値（MIH_Link_Configure_Threshold.request）をMIHF１０３に通知する。
【００８４】
なお、ビデオストリーミングクライアント１０５やビデオフォン１０７は、MIH_USER_Register.responseに含まれるMIH_USER_IDを取得した場合、以降MIHF１０３に対してMIH_USER_IDを含むMIH_Link_Configure_Threshold.requestや他のコマンドを送信することができる。
【００８５】
ステップＳ１３０において、MIHF１０３は、ビデオストリーミングクライアント１０５及びビデオフォン１０７から通知されたサービス品質の閾値に基づいて決定したサービス品質の閾値（MIH_Link_Configure_Threshold.request）をMIHF２０３に通知する。
【００８６】
ステップＳ１４０において、MIHF２０３は、レイヤ２における論理リンクの設定を要求し、リンク制御部２０５は、当該要求に対する確認をMIHF２０３に応答する。
【００８７】
ステップＳ１５０において、MIHF２０３は、NEMOハンドオーバマネージャ２０７からのMIH_Link_Configure_Threshold.requestに対する応答として、MIH_Link_Configure_Threshold.confirmをNEMOハンドオーバマネージャ２０７に送信する。また、ステップＳ１６０において、MIHF２０３は、MIHF１０３からのMIH_Link_Configure_Threshold.requestに対する応答として、MIH_Link_Configure_Threshold.confirmをMIHF１０３に送信する。
【００８８】
ステップＳ１７０において、MIHF１０３は、MIHF２０３から受信したMIH_Link_Configure_Threshold.confirmに基づいて、MIHF１０３及びMIHF２０３に設定されたサービス品質の閾値を含むMIH_Link_Configure_Threshold.confirmをビデオフォン１０７に送信する。同様に、ステップＳ１８０において、MIHF１０３は、MIHF２０３から受信したMIH_Link_Configure_Threshold.confirmに基づいて、MIHF１０３及びMIHF２０３に設定されたサービス品質の閾値を含むMIH_Link_Configure_Threshold.confirmをビデオストリーミングクライアント１０５に送信する。
【００８９】
ステップＳ１８５において、リンク制御部２０５は、MIHF２０３からの論理リンクの設定要求に基づいて、現在接続している無線通信ネットワーク及びハンドオーバ候補となる無線通信ネットワークのサービス品質の閾値を設定する。
【００９０】
ステップＳ１９０において、MIHF１０３は、MIHに関するイベントの報知を要求するMIH_Event_Subscribe.RequestをMIHF２０３及びリンク制御部２０５に送信する。当該イベントには、MIH_Link_up/down、MIH_Link_Parameters_Report及びBinding Eventなどが含まれる。なお、当該処理は、現在接続している無線通信ネットワーク及びハンドオーバ候補となる無線通信ネットワークの数に応じた回数実行される。本実施形態では、無線通信ネットワーク１０（1xEV-DO）と無線通信ネットワーク２０（iBurst（登録商標））が該当するものとする。
【００９１】
ステップＳ２００において、リンク制御部２０５は、MIH_Event_Subscribe.Requestに対する応答として、MIH_Event_Subscribe.responseをMIHF１０３及びMIHF２０３に送信する。なお、当該処理も、現在接続している無線通信ネットワーク及びハンドオーバ候補となる無線通信ネットワークの数に応じた回数実行される。
【００９２】
ステップＳ２００において、ビデオストリーミングサーバ４０は、ビデオストリーミングクライアント１０５と通信を開始したことに伴って、下り方向における現在の伝送レート（帯域またはスループット）の報告を要求する。
【００９３】
ステップＳ２１０において、ビデオストリーミングクライアント１０５は、ビデオストリーミングクライアント１０５において用いられるサービス品質の所定の周期での報告を要求するMIH_Get_Service_Quality.requestを、MIHF１０３を介してMIHF２０３に送信する。なお、MIH_Get_Service_Quality.requestのフォーマットは、表１及び表２に示したとおりである。
【００９４】
ステップＳ２２０において、MIHF２０３は、現在接続している無線通信ネットワークのリンクパラメータの報告を要求するGet_Link_Parameters.requestをリンク制御部２０５に送信する。また、ステップＳ２３０において、MIHF２０３は、サービス品質の報告周期（所定の周期）を計時するタイマーをスタートさせる。つまり、MIHF２０３は、Get_Link_Parameters.request及びMIH_Get_Service_Quality.responseの送信タイミングを認識するためにタイマーをスタートさせる。なお、サービス品質の報告周期（例えば、１００ｍｓ）は、移動通信端末１００やモバイルルータ２００の処理能力などに応じて、適宜変更できる。
【００９５】
ステップＳ２４０において、リンク制御部２０５は、現在接続している無線通信ネットワークのリンクパラメータを報告するGet_Link_Parameters.responseをMIHF２０３に送信する。ステップＳ２５０において、MIHF２０３は、リンク制御部２０５から送信されたDRCやSINRを含むリンクパラメータに基づいて、現在のサービス品質（伝送レート）の報告するMIH_Get_Service_Quality.responseを、MIHF１０３を介してビデオストリーミングクライアント１０５に送信する。
【００９６】
ステップＳ２６０において、ビデオストリーミングクライアント１０５は、MIHF２０３から受信したMIH_Get_Service_Quality.responseに含まれるサービス品質（予測許容帯域（上り／下り）またはスループット）をビデオストリーミングサーバ４０に通知する。
【００９７】
以下、上述したステップＳ２４０〜Ｓ２６０の処理が、ステップＳ２７０〜Ｓ２９０において所定の周期で繰り返される。また、MIHF１０３、MIHF２０３及びリンク制御部２０５は、ビデオフォン１０７に対しても同様の処理を実行する。
【００９８】
（３．２）動作例２
図６及び図７は、無線通信システム５０によるエンティティ（通信アプリケーション）の登録動作例２を示す。上述した動作例１と比較すると、本動作例では、ビデオストリーミングサーバ４０もMIHFを実装している点が異なる。
【００９９】
ステップＳ１０〜Ｓ６０の処理は、図４に示した動作例１と同様である。ステップＳ６５において、ビデオストリーミングサーバ４０は、MIHの登録を要求するMIH_Register.requestをMIHF１０３に送信する。MIHF１０３は、受信したMIH_Register.requestに基づいて、MIH_Capability_Discover.requestをMIHF２０３に送信する。
【０１００】
MIHF２０３は、受信したMIH_Capability_Discover.requestに基づいて、MIH_Capability_Discover.confirmをMIHF１０３に送信し、MIHF１０３は、受信したMIH_Capability_Discover.confirmをビデオストリーミングサーバ４０に送信する。
【０１０１】
ステップＳ６６において、ビデオストリーミングサーバ４０は、MIHF２０３からの通知結果に基づいて、異種メディア間ハンドオーバ（MIH）の準備を実行する。
【０１０２】
ステップＳ７０〜Ｓ９０の処理は、図４に示した動作例１と同様である。ステップＳ９５において、ビデオストリーミングサーバ４０は、ビデオストリーミングサーバ４０のMIHF２０３への登録を要求するMIH_USER_Register.requestを、MIHF１０３を介してMIHF２０３に送信する。MIHF２０３は、受信したMIH_USER_Register.requestに基づいて、ビデオストリーミングサーバ４０を識別するMIH_USER_IDと、MIH_USER_Register.requestを送信したビデオストリーミングサーバ４０とを対応付けて登録する。MIHF２０３は、MIH_USER_IDを含むMIH_USER_Register.responseを、MIH_USER_Register.requestを送信したビデオストリーミングサーバ４０に通知する。
【０１０３】
ステップＳ１００〜Ｓ１９０の処理は、図５に示した動作例１と同様である。図７に示すように、ステップＳ２０５において、ビデオストリーミングサーバ４０は、ビデオストリーミングクライアント１０５などと同様に、ビデオストリーミングサーバ４０において用いられるサービス品質の所定の周期での報告を要求するMIH_Get_Service_Quality.requestを、MIHF１０３を介してMIHF２０３に送信する。
【０１０４】
ステップＳ２１０〜Ｓ２５０の処理は、図５に示した動作例１と同様である。ステップＳ２５５において、MIHF１０３は、MIHF２０３から受信したMIH_Get_Service_Quality.responseをビデオストリーミングサーバ４０に中継する。また、ステップＳ２６５において、MIHF１０３は、MIHF２０３から受信したMIH_Get_Service_Quality.responseをビデオストリーミングクライアント１０５に中継する。
【０１０５】
以下、上述したステップＳ２４０〜Ｓ２６５の処理が、ステップＳ２７０〜Ｓ３０５において所定の周期で繰り返される。
【０１０６】
なお、ビデオストリーミングサーバ４０にMIHFを搭載する意義は、（１）適応制御機能を具備していない一般的なビデオストリーミングクライアントを搭載している移動通信端末でも、ビデオストリーミングサーバ４０が直接移動通信端末のMIHFと通信を実行することによって、予測許容帯域やハンドオーバの情報を入手でき、無線区間の通信品質の変動に対して適応的に送信レートなどのパラメータを制御することができること、（２）ビデオストリーミングサービスに関しては、ビデオストリーミングサーバ４０がトップダウンで無線区間の通信品質の変動に対する適応制御を実行するため、どの程度の割合でクライアント（移動通信端末）が適応制御の機能を備えているか認識することによって、サーバの処理能力に応じた適応制御を実行できることが挙げられる。例えば、予測許容帯域などの通知周期をクライアント数に応じて変更できる。また、下り方向の送信レートの種類を、クライアント数に応じて変更できる。
【０１０７】
（４）作用・効果
無線通信システム５０によれば、MIHF１０３及びMIHF２０３は、通信アプリケーション（ビデオストリーミングクライアント１０５及びビデオフォン１０７）など、特定のエンティティからMIH_USER_Register.requestを受信した場合、当該エンティティを識別するMIH_USER_IDと当該エンティティとを対応付けて登録する。
【０１０８】
このため、MIHF１０３及びMIHF２０３は、通信アプリケーションなどのエンティティがＭＩＨユーザとして機能し、MIHF１０３及びMIHF２０３に対して複数のＭＩＨユーザが存在する場合でも、それぞれのＭＩＨユーザを確実に識別でき、MIHF１０３及びMIHF２０３がそれぞれのＭＩＨユーザと確実に通信を実行できる。
【０１０９】
本実施形態では、通信アプリケーションは、MIHF１０３及びMIHF２０３から通知されたMIH_USER_IDを含むコマンドをMIHF１０３やMIHF２０３に送信することができる。このため、MIHF１０３及びMIHF２０３は、コマンドに含まれるMIH_USER_IDを確認することによって、何れの通信アプリケーションによって生成されたコマンドであるかを迅速に認識でき、当該コマンドに関する処理の速度が向上する。
【０１１０】
本実施形態では、MIHF１０３及びMIHF２０３は、登録を要求したエンティティが通信アプリケーションであるか否かを区別してMIH_USER_IDを登録することができる。また、MIHF１０３及びMIHF２０３は、リンク制御部２０５から通知される無線リンクの通信品質に基づいて、当該エンティティにおいて用いられるサービス品質の未来における予測値を演算することができる。さらに、MIHF１０３及びMIHF２０３は、演算した予測値を当該エンティティに通知できる。
【０１１１】
このため、MIHF１０３及びMIHF２０３は、通信アプリケーションを含む全てのエンティティからのサービス品質取得要求及びサービス品質を認識でき、各エンティティのサービス品質を考慮したエンティティ間における割当伝送レートなどの調停を実現できる。特に、通信アプリケーションが複数存在する場合、当該通信アプリケーション間における伝送レート（帯域）や遅延などのサービス品質の効率的な制御を実現できる。つまり、各通信アプリケーションは、予測値に基づいてサービス品質の未来における値を認識できるため、当該値に基づいて通信アプリケーションの状態（例えば、符号化レート）を適応制御することによって、当該状態に応じたサービス品質を容易に維持できる。
【０１１２】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなる。
【０１１３】
例えば、上述した実施形態では、MIHFが移動通信端末１００及びモバイルルータ２００、またはビデオストリーミングサーバ４０、移動通信端末１００及びモバイルルータ２００に実装される形態であったが、MIHFを移動通信端末１００に集約するともに、通信アプリケーションに代えてＭＩＨユーザを実装してもよい。
【０１１４】
図１４は、本発明の変更例に係る移動通信端末１００Ａ（無線通信端末）の機能ブロック図である。図１２に示すように、移動通信端末１００Ａは、無線リンク制御部１０２、MIHF１０３、MIH User１０９Ａ，１０９Ｂ、無線通信部１１１〜１１３、及び無線ＩＦ１１４〜１１６を備える。以下、上述した移動通信端末１００と異なる部分について主に説明する。
【０１１５】
無線通信部１１１〜１１３は、無線通信ネットワーク１０〜３０のそれぞれと無線ＩＦ１１４〜１１６無線通信を実行する。つまり、移動通信端末１００Ａは、モバイルルータ２００を介さずに無線通信ネットワーク１０〜３０に接続する。
【０１１６】
無線リンク制御部１０２は、MIHF１０３からの指示に応じて無線通信部１１１〜１１３を制御し、無線通信ネットワーク１０〜３０の何れかと無線リンクＲＬを設定する。
【０１１７】
MIH User１０９Ａ及びMIH User１０９Ｂは、例えば、無線通信ネットワーク１０から無線通信ネットワーク２０への移動通信端末１００Ａの移動性を管理する。本変更例において、MIH User１０９Ａ及びMIH User１０９Ｂは、移動性管理部（エンティティ）を構成する。MIH User１０９Ａ及びMIH User１０９Ｂは、IEEE802.21において規定されるＭＩＨユーザである。MIH User１０９Ａ及びMIH User１０９Ｂは、例えば、Mobile IPなどのプロトコルである。
【０１１８】
MIH User１０９Ａ及びMIH User１０９Ｂは、上述した通信アプリケーション（ビデオストリーミングクライアント１０５及びビデオフォン１０７）と同様に、MIH_USER_Register.requestを送信し、MIHF１０３からMIH_USER_Register.responseを受信する。また、MIH User１０９Ａ及びMIH User１０９Ｂは、MIH_Get_Service_Quality.requestをMIHF１０３に送信する。MIHF１０３は、MIH User１０９ＡまたはMIH User１０９Ｂからの要求に基づいて他の無線通信ネットワークへのハンドオーバやパラメータの適応制御を実行する。また、MIHF１０３は、上り及び下り方向のサービス品質の予測値を演算する。
【０１１９】
上述した実施形態では、MIHF２０３がサービス品質の予測値を演算する機能を備えていたが、MIHF２０３は、必ずしもこのような機能を備えていなくても構わない。また、上述した実施形態では、下り方向におけるサービス品質の予測値を例として説明したが、CN４５のビデオフォンがMIHFを実装することによって、CN４５のビデオフォンが上り方向におけるサービス品質の予測値を演算するようにしてもよい。
【０１２０】
上述した実施形態では、MIHF１０３及びMIHF２０３は、登録したMIH_USER_IDを通信アプリケーションなどのエンティティに通知していたが、このような通知は、必ずしも必要ない。例えば、MIH_USER_Register.requestが送受信された時刻に応じて定められる値をMIH_USER_IDとして用い、MIHF１０３及びMIHF２０３が当該値を登録してもよい。
【０１２１】
上述した実施形態では、CDMA2000 1xEV-DO、iBurst（登録商標）及びモバイルWiMAXを例として説明したが、本発明が適用可能な無線通信方式は、勿論これらに限定されるものではない。例えば、次世代のセルラシステムであるＬＴＥ（Long Term Evolution）システムにも適用可能である。このように、本発明は、ここでは記載していない様々な実施の形態などを含むことは勿論である。
【０１２２】
なお、日本国特許出願第２００９−０７７８５１号（２００９年３月２６日出願）の全内容が、参照により、本願明細書に組み込まれている。
【産業上の利用可能性】
【０１２３】
以上のように、本発明に係る無線通信システム、無線通信端末及び通信制御方法は、一つのＭＩＨ機能部などのハンドオーバ制御部に対して複数のＭＩＨユーザが存在する場合でも、ハンドオーバ制御部がそれぞれのＭＩＨユーザと明確かつ確実に通信を実行できるため、移動体通信などの無線通信において有用である。
【図１】
2010110393.tif 000013
【図２】
2010110393.tif 000014
【図３】
2010110393.tif 000015
【図４】
2010110393.tif 000016
【図５】
2010110393.tif 000017
【図６】
2010110393.tif 000018
【図７】
2010110393.tif 000019
【図８】
2010110393.tif 000020
【図９】
2010110393.tif 000021
【図１０】
2010110393.tif 000022
【図１１】
2010110393.tif 000023
【図１２】
2010110393.tif 000024
【図１３】
2010110393.tif 000025
【図１４】
2010110393.tif 000026
【国際調査報告】
2010110393.tif 000027
2010110393.tif 000028
2010110393.tif 000029
2010110393.tif 000030